(57)【要約】【課題】被検者の首部分、のど部分、顎部分の少なくとも一箇所の放射線汚染を確実に測定できる体表面モニタを提供する。【解決手段】被検者２００の頭上部の放射線汚染を測定する頭部用放射線検出器１１と、左右の側頭部の放射線汚染をそれぞれ測定する側頭用放射線検出器１２、１３を備えると共に、前記被検者２００の首部分、のど部分、顎部分の少なくとも一箇所に近接して配置され、これらの箇所の放射線汚染を測定する首用放射線検出器１６を更に備える。【選択図】図３
2008275376.tif 000002
【特許請求の範囲】
【請求項１】
前面フレームと、前記前面フレームに設置された前面用放射線検出器と、前記前面フレームに開閉可能に設置された扉と、前記扉に設置された側面用放射線検出器と、後面フレームと、前記後面フレームに設置された後面用放射線検出器と、頭部用放射線検出器と、側頭用放射線検出器と、前記頭部用放射線検出器及び前記側頭用放射線検出器を上下方向に昇降可能に前記後面フレームに設置する昇降駆動機構とを備え、被検者の放射線汚染を測定する体表面モニタにおいて、
前記被検者の首部分、のど部分、顎部分の少なくとも一箇所に近接して配置され、前記首部分、のど部分、顎部分の少なくとも一箇所の放射線汚染を測定する放射線検出器を更に備えること
を特徴とする体表面モニタ。
【請求項２】
前記放射線検出器は、前記頭部用放射線検出器の前記被検者の顔面に近い位置に移動可能に設置され、  
前記昇降駆動機構による前記頭部用放射線検出器の下方向への移動に連動して、前記放射線検出器を初期位置から前記被検者の前記首部分、のど部分、顎部分の少なくとも一箇所に近接する測定位置に移動させる放射線検出器駆動用電動機とを更に備えること
を特徴とする請求項１記載の体表面モニタ。
【請求項３】
前記側頭用放射線検出器は、前記頭部用放射線検出器の前記被検者の側頭に近い位置に移動可能に設置され、
前記放射線検出器は、前記側頭用放射線検出器に移動可能に設置され、
前記側頭用放射線検出器を初期位置から前記被検者の側頭に近接する測定位置に移動させる側頭放射線検出器駆動用電動機と、
前記側頭放射線検出器駆動用電動機の前記側頭用放射線検出器の移動に連動して、前記放射線検出器を初期位置から前記被検者の前記首部分、のど部分、顎部分の少なくとも一箇所に近接する測定位置に移動させる放射線検出器駆動用電動機とを更に備えること
を特徴とする請求項１又は２記載の体表面モニタ。
【請求項４】
前記側頭用放射線検出器は、前記頭部用放射線検出器の前記被検者の右側頭に近い位置に移動可能に設置された右側頭用放射線検出器、及び、前記頭部用放射線検出器の前記被検者の左側頭に近い位置に移動可能に設置された左側頭用放射線検出器であり、
前記放射線検出器は、前記右側頭用放射線検出器に移動可能に設置された右側放射線検出器、及び、前記左側頭用放射線検出器に移動可能に設置された左側放射線検出器であり、
前記右側頭用放射線検出器及び前記左側頭用放射線検出器をそれぞれ初期位置から前記被検者の右側頭及び左側頭に近接する測定位置に移動させる側頭放射線検出器駆動用電動機と、
前記側頭放射線検出器駆動用電動機による前記右側頭用放射線検出器の移動に連動して、前記右側放射線検出器を初期位置から前記被検者の前記首部分の右側面、のど部分の右側面、顎部分の右側面の少なくとも一箇所に近接する測定位置に移動させる右側放射線検出器駆動用電動機と、
前記側頭放射線検出器駆動用電動機による前記左側頭用放射線検出器の移動に連動して、前記左側放射線検出器を初期位置から前記被検者の前記首部分の左側面、のど部分の左側面、顎部分の左側面の少なくとも一箇所に近接する測定位置に移動させる左側放射線検出器駆動用電動機とを更に備えること
を特徴とする請求項１又は２記載の体表面モニタ
【請求項５】
前記放射線検出器は、前記前面フレームの前記被検者の顎に近い位置に配置され、且つ、前記被検者の顎を載せるための顎載せ部を有すること
を特徴とする請求項１記載の体表面モニタ。
【請求項６】
前記放射線検出器を、前記被検者の顎位置に応じて上下方向に移動する駆動機構部を更に備えること
を特徴とする請求項５記載の体表面モニタ。
【請求項７】
前記駆動機構部は、前記放射線検出器の位置を手動にて調整可能とすること
を特徴とする請求項６記載の体表面モニタ。
【請求項８】
前記被検者の顎位置を検知するセンサをさらに備え、
前記駆動機構部は、前記センサにより検知された前記被検者の顎位置に基づいて前記放射線検出器の位置を調整すること
を特徴とする請求項６記載の体表面モニタ。
【発明の詳細な説明】
【技術分野】
【０００１】
本発明は、放射線取扱施設において使用される被検者の体表面の放射線汚染を計測するための体表面モニタに関する。
【背景技術】
【０００２】
一般に従来の体表面モニタは、被検者の前背面、側面側、頭部、側頭部の放射線汚染を測定するための放射線検出器をモニタ本体にそれぞれ固定設置し、これらの放射線検出器を用いて被検者の体表面に付着した放射性物質から放射される放射線を検出することにより、被検者の体表面の放射線汚染を測定する。特許文献１に、体表面モニタの従来例が示されている。特許文献１では、被検者の前面、背面、頭部上面の放射線汚染をそれぞれ測定する前面検出器、背面検出器、頭上検出器に加え、被検者の側頭部の放射性汚染を測定する側頭検出器を設けた構成の体表面モニタが提案されている。
【特許文献１】特許第３１００６７７号公報
【発明の開示】
【発明が解決しようとする課題】
【０００３】
しかしながら、特許文献１の従来技術には、以下のような課題がある。
【０００４】
被検者の首部分、のど部分、顎部分などは、顔面や肩や胸面に対して凹型を形成しており、即ち、首部分、のど部分、顎部分などは、被検者の前面（正面）から見た場合、顔面や胸面の位置よりもさらに奥（背面側）に引込んだ位置に存在している。このため、首部分、のど部分、顎部分などは、前面検出器からの距離が顔面や胸面よりも遠くなり、これらの部分の放射線汚染を前面検出器で測定することが難しい。また、被検者の側面（側頭部側）から見た場合、首部分、のど部分、顎部分などは、側頭部よりも奥に引込んだ位置に存在している。このため、首部分、のど部分、顎部分などは、側頭検出器からの距離が側頭部よりも遠くなり、これらの部分の放射線汚染を側頭検出器で測定することが難しい。
【０００５】
また、首部分、のど部分、顎部分に付着した放射性物質から放射される放射線には、その放射方向が前面検出器の放射線測定面や側頭検出器の放射線測定面に向う方向でないものが含まれており、そのような方向の放射線は前面検出器や側頭検出器で測定することが難しい。例えば、下顎に付着した放射性物質から放射される放射線の放射方向は、下顎から地面へ向かう下方向となるため、前面検出器の放射線測定面や側頭検出器の放射線測定面には放射線が全く届かないか、もしも届いたとしても非常に微量であり、測定が難しい。
【０００６】
このように、従来の体表面モニタでは、被検者の首部分、のど部分、顎部分の放射線汚染を測定することが困難という課題があった。
【０００７】
本発明は上記従来技術の問題を解決するために提案するものであり、その目的は、被検者の首部分、のど部分、顎部分の放射線汚染を確実に測定できる体表面モニタを提供することにある。
【課題を解決するための手段】
【０００８】
上記課題を解決するために、本発明の体表面モニタは、前面フレームと、前記前面フレームに設置された前面用放射線検出器と、前記前面フレームに開閉可能に設置された扉と、前記扉に設置された側面用放射線検出器と、後面フレームと、前記後面フレームに設置された後面用放射線検出器と、頭部用放射線検出器と、側頭用放射線検出器と、前記頭部用放射線検出器及び前記側頭用放射線検出器を上下方向に昇降可能に前記後面フレームに設置する昇降駆動機構とを備え、被検者の放射線汚染を測定する体表面モニタにおいて、前記被検者の首部分、のど部分、顎部分の少なくとも一箇所に近接して配置され、前記首部分、のど部分、顎部分の少なくとも一箇所の放射線汚染を測定する放射線検出器を更に備えること  を特徴とする。
【発明の効果】
【０００９】
本発明によれば、被検者の首部分、のど部分、顎部分の少なくとも一箇所の放射線汚染を確実に測定できる。
【発明を実施するための最良の形態】
【００１０】
以下、図面を参照して、本発明の実施形態について説明する。
【００１１】
（第１の実施形態）
先ず、図１〜図４を用いて本発明の体表面モニタの第１の実施形態を説明する。
【００１２】
図１は、体表面モニタ１００を正面から見たときの概観図である。図２は体表面モニタ１００の測定室の内部の様子を示す図である。図２では、図1に示す前面フレーム１を透過して体表面モニタ１００を正面から見た時の様子を示している。図３、４は、体表面モニタ１００の駆動機構部２５を示す図である。図３は、被検者２００の放射線汚染の測定を行っていないときの駆動機構部２５の状態（駆動機構部２５が初期位置にある状態）を示している。図４は、被検者２００の放射線汚染の測定を行っているときの駆動機構部２５の状態（駆動機構部２５が測定位置にある状態）を示している。
【００１３】
本発明の体表面モニタ１００は、被検者２００の放射線汚染を測定する検出器として、図１、２に示す各検出器、即ち、前面用放射線検出器２、右側面用放射線検出器３、左側面用放射線検出器４、右手用放射線検出器５、左手用放射線検出器６、右足用放射線検出器７、左足用放射線検出器８、後面用放射線検出器９、頭部用放射線検出器１１、右側頭用放射線検出器１２、左側頭用放射線検出器１３を備えると共に、図３、４に示す首用放射線検出器１６をさらに備えている。
【００１４】
前面用放射線検出器２は、図１のように前面フレーム１に固定設置され、被検者２００の体前面の放射線汚染を測定する。右側面用放射線検出器３は、前面フレーム１に開閉可能に設けられた一方の扉３ａに設置され、当該扉３ａが閉じられた状態で被検者２００の右側面の放射線汚染を測定する。左側面用放射線検出器４は、前面フレーム１に開閉可能に設けられたもう一方の扉４ａに設置され、当該扉４ａが閉じられた状態で被検者２００の左側面の放射線汚染を測定する。右手用放射線検出器５及び左手用放射線検出器６は、前面フレーム１に固定設置され、被検者２００の右手及び左手の放射線汚染をそれぞれ測定する。右足用放射線検出器７及び左足用放射線検出器８は、体表面モニタ１００の台座に固定設置されており、被検者２００の右足及び左足の放射線汚染をそれぞれ測定する。
【００１５】
また、図２のように、後面用放射線検出器９は、後面フレーム１０に固定設置され、被検者２００の体後面の放射線汚染を測定する。頭部用放射線検出器１１は、図示せぬ昇降駆動機構を介して後面フレーム１０に対し上下方向に移動可能（昇降可能）に設置されており、被検者２００の頭部位置に応じて昇降し、頭部の上面の放射線汚染を測定する。右側頭用放射線検出器１２及び左側頭用放射線検出器１３は、頭部用放射線検出器１１の左右両側に各々設置されており、被検者２００の右側頭及び左側頭の放射線汚染をそれぞれ測定する。
【００１６】
なお、図１、２に示すように、前面フレーム１、後面フレーム２、２つの扉３ａ、４ａにより体表面モニタ１００の本体を構成しており、この本体内に被検者２００を収容し放射線汚染を測定する測定室を形成する。
【００１７】
次に、右側頭用放射線検出器１２、左側頭用放射線検出器１３及び首用放射線検出器１６を移動させる駆動機構部２５について、図３、図４を参照しながら説明する。
【００１８】
駆動機構部２５は、右側頭用放射線検出器１２及び左側頭用放射線検出器１３を移動するための頭部検出器駆動用電動機１４、この頭部検出器駆動用電動機１４の駆動力をギヤを介して右側頭用放射線検出器１２及び左側頭用放射線検出器１３に伝え、これら右側頭用放射線検出器１２及び左側頭用放射線検出器１３を互いに同期させた状態で移動させるための側頭検出器連結用シャフト１５、頭部用放射線検出器１１に対して首用放射線検出器１６を被検者２００側に移動可能に保持する固定フレーム１７と、この固定フレーム１７にギヤを介して駆動力を伝え首用放射線検出器１６を移動させる首用検出器駆動用電動機１８を備えている。
【００１９】
右側頭用放射線検出器１２及び左側頭用放射線検出器１３は、頭部用放射線検出器１１の被検者２００の右側頭及び左側頭に近い位置にそれぞれ設置されている。
【００２０】
首用放射線検出器１６は、固定フレーム１７を介して、頭部用放射線検出器１１の被検者２００の顔面に近い部分（頭部用放射線検出器１１の前面フレーム１に近い位置）に設置されている。また、首用放射線検出器１６は、被検者２００の首部分、のど部分、顎部分と対向する面である１６ａや１６ｂに放射線測定面を有している。固定フレーム１７は、被検者２００の顔面の放射線汚染の測定を妨げないように、被検者２００の顔面から前面用放射線検出器２への方向に放射される放射線を遮らない形状としている。
【００２１】
次に体表面モニタ１００の放射線汚染測定時の動作を説明する。
【００２２】
放射線汚染を測定していないとき、右側頭用放射線検出器１２及び左側頭用放射線検出器１３、首用放射線検出器１６は、側頭検出器駆動用電動機１４、首用検出器駆動用電動機１８によって、それぞれ図３に示す初期位置に設置されている。右側頭用放射線検出器１２及び左側頭用放射線検出器１３は平板形状をしており、その初期位置は、それぞれの放射線測定面が地面に対向する位置（被検者２００の側頭部に対してはそれぞれの放射線測定面がほぼ垂直となる位置）である。頭部用放射線検出器１１の初期位置は、固定フレーム７が地面に対してほぼ垂直なっている状態のときの位置である。
【００２３】
一方、放射線汚染の測定を行う場合、右側頭用放射線検出器１２及び左側頭用放射線検出器１３、首用放射線検出器１６は、側頭検出器駆動用電動機１４、首用検出器駆動用電動機１８によって測定位置（図４に示される位置）に移動される。
【００２４】
ここで、被検者２００が体表面モニタ１００の測定室に入り、放射線汚染の測定を行うとき、図示しない昇降駆動機構により頭部用放射線検出器１１を降下させて（図２のＡ方向）、被検者２００の頭部の近接位置に移動させる。この頭部用放射線検出器１１の下方向への移動と連動して、側頭検出器駆動用電動機１４が、側頭検出器連結用シャフト１５を介して右側頭用放射線検出器１２及び左側頭用放射線検出器１３を初期位置からＣ方向に同時に移動させ、測定位置に位置させる。これより、右側頭用放射線検出器１２及び左側頭用放射線検出器１３のそれぞれの放射線測定面が、被検者２００の右側頭及び左側頭と対向し且つ近接した位置にそれぞれ配置されることとなる。この右側頭用放射線検出器１２及び左側頭用放射線検出器１３の移動と同時に、首用検出器駆動用電動機１８が、固定フレーム１７を介して首用放射線検出器１６を初期位置からＥ方向に移動させ、測定位置に位置させる。これにより、首用放射線検出器１６の放射線測定面１６ａ、１６ｂが被検者２００の首部分、のど部分、顎部分に対向し且つ近接した位置にそれぞれ配置されることとなる。
【００２５】
放射線汚染の測定を終えると、図示しない昇降駆動機構は、頭部用放射線検出器１１を上方向（図２のＢ方向）に移動させる。この頭部用放射線検出器１１の上方向への移動と連動して、側頭検出器駆動用電動機１４は、側頭検出器連結用シャフト１５を介して右側頭用放射線検出器１２及び左側頭用放射線検出器１３を測定位置からＤ方向に同時に移動し、初期位置に戻す。また、同時に首用検出器駆動用電動機１８は、固定フレーム１７を介して首用放射線検出器１６を測定位置からＦ方向に移動させ、初期位置に戻す。
【００２６】
このように第１の実施形態によれば、被検者２００の首部分、のど部分、顎部分に首用放射線検出器１６を接近させて放射線汚染を測定するようにしたので、これらの部分の放射線汚染を確実に測定することができ、より厳密な放射線汚染の検査および出入り管理を行うことが可能となる。
【００２７】
（第２の実施形態）
次に、図５、６を用いて本発明の体表面モニタの第２の実施形態を説明する。第２の実施形態の体表面モニタ１００は、図３、４に示される第１の実施形態の首用放射線検出器１６に換えて、図５、６に示される右側首用放射線検出器１９、左側首用放射線検出器２０を備えている。第２の実施形態の体表面モニタ１００の駆動機構部２６には、この右側首用放射線検出器１９、左側首用放射線検出器２０と、さらに右側首用放射線検出器駆動用電動機２１、左側首用放射線検出器駆動用電動機２２、右側首用放射線検出器連結用シャフト２３、左側首用放射線検出器連結用シャフト２４を設けている。その他の構成は上述した第１の実施形態の体表面モニタ１００と同様であり、同一の構成については同一の符号を付している。
【００２８】
図５は、被検者２００の放射線汚染の測定を行っていないときの駆動機構部２６の状態（駆動機構部２６の各検出器が初期位置にある状態）を示している。図６は、被検者２００の放射線汚染の測定を行っているときの駆動機構部２６の状態（駆動機構部２６の各検出器が測定位置にある状態）を示している。
【００２９】
右側首用放射線検出器１９は、被検者２００の首部分、のど部分、顎部分から放射される放射線のうち被検者２００の右方向に放射される放射線を測定する放射性測定面１９ａを有する。左側首用放射線検出器２０は、被検者２００の首部分、のど部分、顎部分から放射される放射線のうち被検者２００の左方向に放射される放射線を測定する放射性測定面２０ａを有する。
【００３０】
右側首用放射線検出器駆動用電動機２１は右側頭用放射線検出器１２に設置されると共に、右側首用放射線検出器連結用シャフト２３を介して右側首用放射線検出器１９と直結し、この右側首用放射線検出器１９を右側頭用放射線検出器１２に対して回転可能に保持する。左側首用放射線検出器駆動用電動機２２は左側頭用放射線検出器１３に設置されると共に、左側首用放射線検出器連結用シャフト２４を介して左側首用放射線検出器２０と直結し、この左側首用放射線検出器２０を左側頭用放射線検出器１３に対して回転可能に保持する。
【００３１】
第１の実施形態と同様に、放射線汚染の測定を行う際には、図示しない昇降駆動機構により頭部用放射線検出器１１を降下させ、被検者２００の頭部の近接位置に移動させる。この頭部用放射線検出器１１の下方向への移動と連動して、側頭検出器駆動用電動機１４が、側頭検出器連結用シャフト１５を介して右側頭用放射線検出器１２及び左側頭用放射線検出器１３を初期位置からＣ方向に同時に移動し、測定位置に位置させる。この右側頭用放射線検出器１２及び左側頭用放射線検出器１３の移動と同時に、右側首用放射線検出器駆動用電動機２１及び左側首用放射線検出器駆動用電動機２２が回転駆動し、右側首用放射線検出器連結用シャフト２３、左側首用放射線検出器連結用２４を介して右側首用放射線検出器１９及び左側首用放射線検出器２０を初期位置からＧ方向に移動し、測定位置に位置させる。これにより、右側首用放射線検出器１９及び左側首用放射線検出器２０の放射線測定面１９ａ、２０aが、図５に示すように、被検者２００の首部分、のど部分、顎部分の左右の側面に対向し且つ近接した位置にそれぞれ配置されることとなる。
【００３２】
放射線汚染の測定を終えると、図示しない昇降駆動機構が頭部用放射線検出器１１を上方向に移動させる。この頭部用放射線検出器１１の上方向への移動と連動して、側頭検出器駆動用電動機１４は、側頭検出器連結用シャフト１５を介して右側頭用放射線検出器１２及び左側頭用放射線検出器１３をＤ方向に移動させ、測定位置から初期位置に戻す。これと同時に右側首用放射線検出器駆動用電動機２１及び左側首用放射線検出器駆動用電動機２２が回転駆動し、右側首用放射線検出器連結用シャフト２３、左側首用放射線検出器連結用シャフト２４を介して右側首用放射線検出器１９及び左側首用放射線検出器２０をＨ方向に移動させ、測定位置から初期位置に戻す。
【００３３】
このように第２の実施形態によれば、被検者２００の首部分、のど部分、顎部分の左右の側面に右側首用放射線検出器１９及び左側首用放射線検出器２０を接近させて放射線汚染を測定するようにしたので、これらの部分の放射線汚染を確実に測定することができ、より厳密な放射線汚染の検査および出入り管理を行うことが可能となる。
【００３４】
（第３の実施形態）
次に、図７を用いて本発明の体表面モニタの第３の実施形態を説明する。図７は、体表面モニタ１００の測定室内から体表面モニタの前面側（前面用放射線検出器２側）を見た斜視図である。
【００３５】
第３の実施形態の体表面モニタ１００は、図３、４に示される第１の実施形態の首用放射線検出器１６に換えて、図７に示される首用放射線検出器２７を備えている。さらに駆動機構部２８、台座２９を備える。その他の構成は上述した第１の実施形態の体表面モニタ１００と同様であり、同一の構成については同一の符号を付している。
【００３６】
首用放射線検出器２７は、放射線測定面２７ａ、２７ｂを有している。放射線測定面２７ａは、被検者２００の顎部分を載せることができるようほぼ中央に凹形の顎載せ部２７ｃが設けられている。首用放射線検出器２７は、駆動機構部２８により上下方向に移動可能に保持されている。首用放射線検出器２７は、測定を行っていないときには被検者２００の平均的な顎部分の位置として予め定められた初期位置に、駆動機構部２８により保持されている。駆動機構部２８は、前面フレーム１に固定設置されている。また、前面フレーム１に設置されている前面用放射線検出器２のうち顔面測定用の前面用放射線検出器２ａは、首用放射線検出器２７の顎載せ部２７ｃに被検者２００の顔を置くスペースをとるため、そのスペース分、その他の前面用放射線検出器２ｂ、２ｃよりも前面フレーム１側に移動させた位置に設置されている。また、被検者２００が載る台座２９には、右足用放射線検出器７、左足用放射線検出器８が設置されている。
【００３７】
なお、台座２９を上下方向に昇降移動させる駆動機構部をさらに設けることもできる。また、上述した首用放射線検出器２７の駆動機構部２８による駆動制御方法、或いは、台座２９の図示しない駆動機構部による駆動制御方法として、被検者２００の顎位置（或いは頭位置、顔面位置など）を検知するセンサを設け、このセンサにて検知された顎位置（或いは頭位置、顔面位置など）に基づいて首用放射線検出器２７、或いは、台座２９の移動先の位置を定め、この移動先の位置へ移動させることも可能である。
【００３８】
また、上述した説明では、駆動機構部２８は、自動的に首用放射線検出器２７を上下方向に昇降移動させるものとして説明したが、被検者２００が手動で首用放射線検出器２７を上下方向に昇降移動させてその位置を調整できるような構成としても良い。
【００３９】
このように第３の実施形態によれば、首用放射線検出器２７に被検者２００の顎部分を載せて、首部分、のど部分、顎部分を首用放射線検出器２７に接近させて放射線汚染を測定できるようにしたので、これらの部分の放射線汚染を確実に測定することができ、より厳密な放射線汚染の検査および出入り管理を行うことが可能となる。
【００４０】
また、首用放射線検出器２７、或いは、台座２９を、上下方向に昇降移動させて被検者２００の首部分、のど部分、顎部分に対する相対的な位置を調整できるようにすることで、被検者２００が無理な体勢を取らずに測定することが可能になる。
【００４１】
なお、本発明は、上述した実施形態そのままに限定されるものではなく、実施段階ではその要旨を逸脱しない範囲で構成要素を変形して具体化できる。また上記実施形態に開示されている複数の構成要素の適宜な組み合わせにより種々の発明を形成できる。例えば、実施形態に示される全構成要素からいくつかの構成要素を削除してもよい。
【図面の簡単な説明】
【００４２】
【図１】本発明の体表面モニタを正面から見たときの概観図。
【図２】体表面モニタの測定室の内部の様子を示す図。
【図３】第１の実施形態に係る体表面モニタの駆動機構部の各検出器が初期位置にある状態を示した図。
【図４】第１の実施形態に係る体表面モニタの駆動機構部の各検出器が測定位置にある状態を示す図。
【図５】第２の実施形態に係る体表面モニタの駆動機構部の各検出器が初期位置にある状態を示す図。
【図６】第２の実施形態に係る体表面モニタの駆動機構部の各検出器が測定位置にある状態を示す図。
【図７】第３の実施形態に係る体表面モニタの測定室の内部から装置前面側を見た斜視図。
【符号の説明】
【００４３】
１…前面フレーム、２，２ａ，２ｂ，２ｃ…前面用放射線検出器、３…右側面用放射線検出器、３ａ…扉、４…左側面用放射線検出器、４ａ…扉、５…右手用放射線検出器、６…左手用放射線検出器、７…右足用放射線検出器、８…左足用放射線検出器、９…後面用放射線検出器、１０…後面フレーム、１１…頭部用放射線検出器、１２…右側頭用放射線検出器、１３…左側頭用放射線検出器、１４…頭部検出器駆動用電動機、１５…側頭検出器連結用シャフト、１６…首用放射線検出器、１６ａ，１６ｂ…放射線測定面、１７…固定フレーム、１８…首用検出器駆動用電動機、１９…右側首用放射線検出器、１９ａ…放射線測定面、２０…左側首用放射線検出器、２０ａ…放射線測定面、２１…右側首用放射線検出器駆動用電動機、２２…左側首用放射線検出器駆動用電動機、２３…右側首用放射線検出器連結用シャフト、２４…左側首用放射線検出器連結用シャフト、２５，２６…駆動機構部、２７…首用放射線検出器、２７ａ，２７ｂ…放射線測定面、２７ｃ…顎載せ部、２８…駆動機構部、２９…台座、１００…体表面モニタ、２００…被検者。
【図１】
2008275376.tif 000003
【図２】
2008275376.tif 000004
【図３】
2008275376.tif 000005
【図４】
2008275376.tif 000006
【図５】
2008275376.tif 000007
【図６】
2008275376.tif 000008
【図７】
2008275376.tif 000009